(57)【要約】【課題】駐車場等の不特定多数の人間が利用する監視場所の監視に適する監視装置を提供することである。【解決手段】監視カメラ２と監視カメラ２の撮影場所における移動体を検知するセンサ手段３とセンサ手段３が移動体を検知すると撮影場所を照らす照明４と通信手段１０とを具備し監視場所Ｐに設置される複数の監視ユニット１ｎと、各監視ユニット１ｎから通信手段１０を介して画像データを受信しモニタ２１に各監視カメラ２が撮影した画像を表示させる端末２０とを備えた監視装置において、監視場所に設置されオン操作されると緊急信号を端末へ送信する緊急スイッチ３０ｍと、緊急スイッチ３０ｍのオン操作によって警報音を出力する音源３１とを設け、端末２０は、緊急信号の入力によってモニタ２１に警告表示を表示させるようにした。【選択図】      図１
2007213313.tif 000002
【特許請求の範囲】
【請求項１】
監視カメラと監視カメラの撮影場所における移動体を検知するセンサ手段とセンサ手段が移動体を検知すると撮影場所を照らす照明と通信手段とを具備し監視場所に設置される複数の監視ユニットと、各監視ユニットから通信手段を介して画像データを受信しモニタに各監視カメラが撮影した画像を表示させる端末とを備えた監視装置において、監視場所に設置されオン操作されると緊急信号を端末へ送信する緊急スイッチと、緊急スイッチのオン操作によって警報音を出力する音源とを設け、端末は、緊急信号の入力によってモニタに警告表示を表示させることを特徴とする監視装置。
【請求項２】
複数の緊急スイッチと、各緊急スイッチにそれぞれ対応する複数の音源を備え、各音源は自身が対応する緊急スイッチの至近に設けられるとともに対応する緊急スイッチのオン操作によって警報音を出力することを特徴とする請求項１に記載の監視装置。
【請求項３】
監視ユニットは、センサ手段で移動体を検知すると移動体を検知した時刻を含む所定範囲の時間内に撮影された画像群を含むデータを端末に送信し、端末は記憶手段を備えるとともに上記データを受信すると該データを記憶手段に格納することを特徴とする請求項１または２に記載の監視装置。
【請求項４】
緊急スイッチと監視ユニットとが予め関連付けられ、緊急スイッチがオン操作されると、オン操作された緊急スイッチと関連する監視ユニットは上記オン操作時の時刻を含む所定範囲の時間内に撮影された画像群を含む緊急データを端末に送信し、端末は記憶手段を備えるとともに上記緊急データを受信すると該緊急データを記憶手段に格納することを特徴とする請求項１から３のいずれかに記載の監視装置。
【請求項５】
緊急スイッチは、自身の設置場所を撮影可能な監視カメラを備える監視ユニットと関連付けられることを特徴とする請求項４に記載の監視装置。
【請求項６】
各監視ユニットの照明は緊急スイッチのオン操作によって点灯することを特徴とする請求項１から５のいずれかに記載の監視装置。
【発明の詳細な説明】
【技術分野】
【０００１】
本発明は、監視装置に関し、特に、駐車場等の不特定多数の人間が出入りする監視場所に適する監視装置の改良に関する。
【背景技術】
【０００２】
監視装置、特に、駐車場等に適する監視装置にあっては、たとえば、監視場所を撮影する監視カメラと、監視カメラが撮影した画像を処理する制御装置と、侵入者を検出するセンサと、監視カメラが撮影した動画を受信してモニタに表示するとともに該動画を記憶装置に格納する端末と、センサが侵入者を検知すると警報信号を端末に送信する警報送信機とを備え、端末は警報信号を受信すると制御装置に静止画像を要求し、これに対し、制御装置はハードディスクに一端格納しておいた侵入者を検知した時刻前後に監視カメラが撮影した静止画像群を端末に送信し、端末は、受信した上記静止画像群を記憶装置に格納するようになっている（たとえば、特許文献１参照）。
【０００３】
この監視装置によれば、モニタを使用した監視には、動画を使用するが、監視場所に侵入者が侵入して警報信号が送信されると端末は高解像度の静止画像群を取得して記憶装置に格納することができるので、侵入者の特定に最適となる等の利点がある。
【０００４】
また、この監視装置では、侵入センサが侵入者を検知すると、これに連動して動作するスピーカ、照明を備え、侵入者を威嚇するようになっている。
【特許文献１】特開２００４−１４０５８６号公報（図１）
【発明の開示】
【発明が解決しようとする課題】
【０００５】
しかしながら、上記した監視装置では、侵入センサの検知に照明を連動させるばかりでなく、スピーカを連動させて警報音を発生させるようにしているので、侵入者に対する威嚇ができる利点があるが、駐車場等のように昼夜を問わず不特定多数の人間が利用する監視場所には適さない面がある。
【０００６】
すなわち、駐車場のように、昼間夜間を問わず自動車や人間の出入りが激しい監視場所にあっては、従来の監視装置では、犯罪目的を持たない人間や自動車を侵入者として検知して、照明を点灯させるだけではなく、警報音を発生させることとなるので、監視場所を使用するものは不快感を抱くことになり、この不快感を軽減するために警報音の音量を小さくしたのでは、犯罪抑止にはつながらない可能性がある。
【０００７】
さらに、駐車場には、多くの自動車が駐車することになるので、侵入者は自動車の陰に隠れることが可能となって、侵入センサの検知を潜り抜けてしまい警報信号の発生はおろか、照明の点灯、警報音の発生も不能となってしまう場合がある。
【０００８】
また、侵入センサは犯罪者を区別することができないので、駐車場利用者をも侵入者として扱い、上記の動作を行うことになるから、住宅街やその至近にある駐車場に従来監視装置を設置すると、犯罪が行われる可能性がない場合にも都度警報音が発生されて、警報音はただの騒音となって周辺住民に迷惑となる可能性もある。
【０００９】
そして、監視場所に複数侵入センサを設置している場合には、警報音や照明を確認した監視員が監視場所に到達しても、今度は、侵入センサが監視員を侵入者として検知することになるので、監視員が侵入センサの近傍を通過するたびに、その至近にあるスピーカが警報音を発生し、侵入者の追跡等に対して弊害となる恐れがある。
【００１０】
そこで、本発明は上記不具合を改善する為に創案されたものであって、その目的とするところは、駐車場等の不特定多数の人間が利用する監視場所の監視に適する監視装置を提供することである。
【課題を解決するための手段】
【００１１】
本発明の監視装置は、監視カメラと監視カメラの撮影場所における移動体を検知するセンサ手段とセンサ手段が移動体を検知すると撮影場所を照らす照明と通信手段とを具備し監視場所に設置される複数の監視ユニットと、各監視ユニットから通信手段を介して画像データを受信しモニタに各監視カメラが撮影した画像を表示させる端末とを備えた監視装置において、監視場所に設置されオン操作されると緊急信号を端末へ送信する緊急スイッチと、緊急スイッチのオン操作によって警報音を出力する音源とを設け、端末は、緊急信号の入力によってモニタに警告表示を表示させることを特徴とする。
【発明の効果】
【００１２】
本発明の監視装置によれば、監視場所を使用する者に不快感を与えることが無く、自発的に緊急事態の発生を監視員に知らせることができ、さらには、無用な警報音が発生されることがないので、駐車場等の不特定多数の人間が利用する監視場所の監視に最適となる。
【発明を実施するための最良の形態】
【００１３】
以下、図に示した実施の形態に基づき、本発明を説明する。図１は、一実施の形態における監視装置のシステム構成を示す図である。図２は、監視ユニット、緊急スイッチおよび音源の監視場所への設置状況を示す図である。図３は、各監視ユニットから送信される画像をモニタで表示した状態におけるモニタの表示画面を示す図である。図４は、緊急スイッチおよび音源のシステム構成を示す図である。図５は、緊急スイッチのオン操作時の警告表示をモニタで表示した状態におけるモニタの表示画面を示す図である。
【００１４】
図１および図２に示すように、一実施の形態における監視装置は、駐車場等の監視場所Ｐにそれぞれ設置される複数の監視ユニット１ｎ（ｎ＝１，２，３・・・Ｎ）と、各監視ユニット１ｎから通信手段１０を介して画像データを受信しモニタ２１に各監視ユニット１ｎの監視カメラ２が撮影した画像を表示させる端末２０と、監視場所Ｐに設置されオン操作されると緊急信号を端末２０へ送信する複数の緊急スイッチ３０ｍ（ｍ＝１，２，３・・・Ｍ）と、各緊急スイッチ３０ｍに一対一の関係で対応しそれぞれ対応する各緊急スイッチ３０ｍがオン操作されると警報音を出力する音源３１とを備えて構成されている。
【００１５】
以下、詳細に説明すると、各監視ユニット１ｎは、監視カメラ２と監視カメラ２が撮影する場所における移動体を検知するセンサ手段３と、センサ手段３が移動体を検知すると撮影場所を照らす照明４と、監視カメラ２が撮影した画像を処理する制御部５と、監視カメラ２が撮影した画像を記憶する記憶装置６と、通信手段１０とを備えて構成されている。
【００１６】
そして、監視カメラ２は、ＣＣＤ（電荷結合素子、図示せず）とレンズ（図示せず）を備えており、ＣＣＤカメラとして構成され、そして、この監視カメラ２は、撮影範囲を常時撮影し続け、この撮影した画像を電気信号に変換して制御部５へ出力するようになっている。なお、画像については広義に解釈しており、画像には、静止画像の他、動画も含まれる。また、監視カメラ２はＣＣＤカメラとして構成される以外にもＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）を利用したカメラを使用することが可能である。
【００１７】
また、センサ手段３は、移動体を検知することが可能であればよく、具体的にはたとえば、赤外線センサとされ、監視場所Ｐへの侵入する人体や車両（以下、「移動体」という）の有無をセンシングすることが可能なようになっており、監視場所Ｐに人体等がある場合には、これを検知して出力電圧を変化させ、この変化後の電圧信号が移動体検知信号とされて制御部５に入力されるようになっている。
【００１８】
また、この制御部５は、図１に示すように、監視カメラ２が出力するアナログの画像信号をデジタル信号に、センサ手段３が出力するアナログの電圧信号をデジタル信号にそれぞれ変換するＡ／Ｄ変換器５１，５２と、デジタル信号に変換された画像信号を取り込んで画像を処理する画像処理部５３を備えるとともに監視ユニット１における制御手順を処理する演算処理部５４と、上記制御手順が格納されるフラッシュロム（Ｆｌａｓｈ  Ｒｏｍ）および演算処理部５４に記憶領域を提供するＲＡＭ（Ｒａｎｄｏｍ  Ａｃｃｅｓｓ  Ｍｅｍｏｒｙ）等の主記憶装置５５と、照明４の点灯および消灯を制御する点灯制御部５６とを備えて構成されている。
【００１９】
画像処理部５３は、常時作動の監視カメラ２が撮影した画像を動画として取り込み、この動画から所定のフレームレートで静止画像を切り取り、この静止画像を所定の圧縮形式、たとえば、ＪＰＥＧやＧＩＦ等の圧縮形式の画像データを生成する。なお、フレームレートを大きくしすぎると、１秒間に生成される画像データの容量が大きくなりすぎて、大容量の記憶装置が必要となることから、具体的にはたとえば、５〜１０フレーム毎秒程度に設定されている。
【００２０】
そして、画像処理部５３にて処理された画像データは、ハードディスクやフラッシュメモリで構成される記憶装置６に格納される。なお、記憶装置６は、画像データと、同画像データが得られた日付と時刻とを関連付けて記憶し、上記画像データは、一定量蓄積されると古いデータから順に削除されるようになっている。
【００２１】
また、制御部５は、画像処理部５３で処理された画像データを、画像データを撮影した監視ユニット１ｎを特定可能な識別データとともに、常時通信手段１０を介して、端末２０に送信するようになっており、端末２０は、上記画像データを受信すると、端末２０に接続されたモニタ２１にその画像を表示させる。
【００２２】
この通信手段１０は、本実施の形態の場合、具体的には、無線ＬＡＮ（Ｌｏｃａｌ  Ａｒｅａ  Ｎｅｔｗｏｒｋ）インターフェースで構成されており、無線通信によって端末２０に画像データを送信することができるようになっており、監視ユニット１ｎと端末２０とを直接ＬＡＮケーブルで接続する必要がなく、監視場所Ｐにおける監視ユニット１ｎの台数を増減するのに便利であるが、光ファイバーやケーブル等で監視ユニット１ｎと端末２０とを接続しておき、有線通信によって画像データを送受信させるようにしてもよい。
【００２３】
また、端末２０は、図３に示すように、複数の監視ユニット１ｎから送信される画像を一度にモニタ２１に表示でき、また、監視ユニット１ｎの番号や名称の表示領域Ａとその監視ユニット１ｎで得られた画像の表示領域Ｂとを上下に配置する等のように関連付けてモニタ２１に表示できるようになっている。また、監視ユニット１ｎの数がモニタ２１の画面に一度に表示できない場合には、所定時間間隔で順に監視ユニット１ｎから送信される画像を表示するようにしてもよい。
【００２４】
なお、上記したところでは、監視ユニット１ｎから常時端末２０に送信される画像データは静止画像郡とされているが、画像データの圧縮形式を動画に向くＭＰＥＧ２として、動画を端末２０に送信するようにしてもよい。
【００２５】
また、この制御部５にあっては、センサ手段３から移動体検知信号が入力されると、照明４を点灯させる。具体的には、センサ手段３から移動体検知信号が入力されると、演算処理部５４が点灯制御部５６に照明４を点灯させるよう制御指令を出力し、点灯制御部５６が照明４を点灯させる。そして、制御部５は、センサ手段３から移動体検知信号が入力された時刻を含む所定範囲の時間内に撮影され記憶装置６に格納された画像データを、複数設置された監視ユニット１ｎのうち移動体を検知した監視ユニット１ｎを特定可能な識別データと移動体検知が成されたことを示すデータとともに、通信手段１０から端末２０に送信する。なお、この実施の形態においては、照明４は、制御部５の制御下におかれ、センサ手段３からの移動体検知信号をトリガとして点灯されることとなる。
【００２６】
そして、端末２０は、特に、移動体検知が成されたことを示すデータを受け取ると、移動体を検知した監視ユニット１ｎの画像に関しては、監視ユニット１ｎの番号や名称の表示の色や該番号や名称の表示領域Ａの背景の色を他の監視ユニット１ｎの番号や名称の表示色や背景色と異なるようにして表示するようにモニタ２１を制御し、これによって、モニタ２１を見ている監視装置の監視員に移動体の検知が成されたことを知らしめるようになっているとともに、移動体検知が成されたことを示すデータとともに送られてきた移動体検知信号が入力された時刻を含む所定範囲の時間内に撮影された画像データを端末２０が備えるハードディスク等の記憶手段２２に記憶させる。
【００２７】
なお、上記したところでは、制御部５は、移動体検知信号の入力があった際に、画像データとともに移動体検知が成されたことを示すデータを端末２０に送信するようにしているが、画像データを送信する前に、移動体検知したことを示すデータと識別データのみを端末２０に向けて送信して、移動体検知があった旨をいち早くモニタ２１で確認することができるようにしておいても良い。
【００２８】
ここで、本実施の形態における監視ユニット１ｎにおける画像処理部５３と演算処理部５４、および通信手段１０を介しての画像データ等の処理および通信については、具体的には、ハードウェア資源としてのＣＰＵ（Ｃｅｎｔｒａｌ  Ｐｒｏｓｓｅｓｉｎｇ  Ｕｎｉｔ）が主記憶装置５５に格納されたアプリケーションやオペレーティングシステム等のプログラムを実行することで実現されることとなる。
【００２９】
また、端末２０についても、監視ユニット１ｎと無線ＬＡＮを介して通信可能なように無線ＬＡＮインターフェースでなる通信インターフェース２５と、ＣＰＵ２６と、ＣＰＵ２６に記憶領域を提供するＲＯＭやＲＡＭ等の主記憶装置２７と、画像データを記憶するハードディスク等の記憶手段２２と、モニタ２１を制御するグラフィックコントローラ２８とを備えて構成されており、モニタ２１の制御および監視ユニット１ｎから受信する画像データの処理に関するアプリケーションやオペレーティングシステム等のプログラムを上記ＣＰＵ２６で実行することで上記動作を行うことができるようになっている。なお、上記記憶手段２２は、ＣＤやＤＶＤ等の記憶媒体と画像データを記憶媒体に書き込むことが可能なドライブ装置とされてもよい。
【００３０】
つづいて、緊急スイッチ３０ｍについて説明する。この緊急スイッチ３０ｍは、図４に示すように、押しボタン式のスイッチ部３２と、緊急信号を生成する制御部３３と、生成された緊急信号を端末２０および監視ユニット１ｎに送信する通信装置３４とを備えて構成されており、上記スイッチ部３２が押圧されることによってオンされるようになっており、この緊急スイッチ３０ｍがオン操作されると各緊急スイッチ３０ｍに一対一の関係で対応する音源３１に電力が供給されて音源３１が警報音を発生するようになっている。
【００３１】
上記の各音源３１は、一対一の関係で対応する緊急スイッチ３０ｍの至近に設置されており、したがって、複数の内ある一つの緊急スイッチ３０ｍがオン操作されると、オン操作された緊急スイッチ３０ｍの至近に設置された一つの音源３１のみが警報音を発生するようになっている。なお、音源３１は、具体的にはたとえば、スピーカやブザーとされればよい。
【００３２】
また、この緊急スイッチ３０ｍは、上記オン操作が行われた際、制御部３３でこれを検知して緊急信号を生成し、通信装置３４が無線ＬＡＮを介して端末２０および監視ユニット１ｎに緊急信号送信する。なお、緊急信号には、複数設置される緊急スイッチ３０ｍのうち、オン操作された緊急スイッチ３０ｍを特定する識別データを含んでいる。さらに、通信装置３４は、この場合、具体的には、無線ＬＡＮインターフェースとされている。
【００３３】
そして、図２に示すように、各緊急スイッチ３０ｍは、監視場所Ｐ内であって各監視ユニット１ｎの監視カメラ２で撮影可能な範囲内に設置されており、各緊急スイッチ３０ｍは、自身を撮影可能な監視カメラ２を搭載した監視ユニット１ｎに関連付けられており、緊急スイッチ３０ｍをオン操作した人間を必ず監視ユニット１ｎの監視カメラ２で撮影することが可能なようになっている。
【００３４】
具体的には、監視ユニット１１の監視カメラ２の撮影範囲Ｓ内には、緊急スイッチ３０１が設置されており、この監視ユニット１１と緊急スイッチ３１とが関連付けられることになり、同様に、監視ユニット１ｎと監視ユニット１ｎの監視カメラ２の撮影範囲内に設置された緊急スイッチ３０ｍとが同様にそれぞれ関連付けられる。
【００３５】
他方、端末２０は、上記緊急信号を受け取ると、図５に示すように、モニタ２１にオン操作された緊急スイッチ３０ｍの番号や名称が確認できる態様で緊急事態が発生した旨を通知する警告ウインドウを表示させる。この警告ウインドウは、オン操作された緊急スイッチ３０ｍを撮影している監視カメラ２を備えた監視ユニット１ｎから受信してモニタ２１に表示中である画像にかからない位置に表示される。具体的には、図５中では、オン操作された緊急スイッチ３０ｍの名称が「スイッチ４」であって、この緊急スイッチ３０ｍに関連付けられた監視ユニット１ｎの名称が「ユニット４」である場合に、警告ウインドウが表示された状態を示しており、このように、「ユニット４」の名称が付けられた監視ユニット１ｎで撮影している画像を避ける位置に警告ウインドウが表示される。
【００３６】
なお、緊急スイッチ３０ｍが一度オン操作された後には、端末２０からの停止指令が無ければ警報音の停止ができないような構成となっている。具体的には、監視員が端末２０を操作して、上記警告ウインドウを閉じると、端末２０が通信装置３４に警報音を停止する停止指令を送信し、制御部３３は上記停止指令の受信をもって音源３１への電力供給を絶って警報音を停止させる。
【００３７】
したがって、警報音が監視場所Ｐでの人的操作で停止されてしまうことが無いので、犯罪者への警報音による威嚇が中断されてしまうことが無く、犯罪を未然に防止しうることになる。
【００３８】
また、監視ユニット１ｎは、緊急信号を受信すると、自身が関連付けられている緊急スイッチ３０ｍからの緊急信号であるか否かを判断し、関連付けられていない緊急スイッチ３０ｍからの緊急信号で無い場合、照明４を点灯させて監視カメラ２で撮影した画像データを端末２０に送信するのみとし、逆に、関連付けられている緊急スイッチ３０ｍからの緊急信号である場合、監視ユニット１ｎは、照明４を点灯させるとともに、緊急信号を受信した時刻を含む所定範囲の時間内に撮影され記憶手段６に格納された画像データと、自己を特定可能な識別データと、緊急信号受信時刻と緊急スイッチ３０ｍの識別データとを含む緊急データを通信手段１０から端末２０に送信する。
【００３９】
そして、端末２０は、上記監視ユニット１ｎから上記緊急データを受け取ると、監視ユニット１ｎの識別データから監視ユニット１ｎを特定し、特定された監視ユニット１ｎの画像に関しては、監視ユニット１ｎの番号や名称の表示の色や該番号や名称の表示領域Ａの背景の色を他の監視ユニット１の番号や名称の表示色や背景色と異なるようにして表示するようにモニタ２１を制御し、これによっても、モニタ２１を見ている監視装置の監視員に緊急スイッチ３０ｍがオン操作されたことを知らしめるようになっているとともに、緊急スイッチ３０ｍがオン操作された時刻を含む所定範囲の時間内に撮影された画像データを端末２０が備える記憶手段２２に記憶させる。
【００４０】
なお、上記したところでは、一つの緊急スイッチ３０ｍに一つの監視ユニット１ｎを関連付ける場合について説明しているが、複数の監視ユニット１ｎに関連付けて監視ユニット１ｎに上記動作をさせるようにしてもよい。
【００４１】
上述したところから、この監視装置では、複数の緊急スイッチ３０ｍのうち、いずれか一つがオン操作されると、オン操作された緊急スイッチ３０ｍに対応してその至近に設置された音源３１が警報音を発生するとともに、端末２０に接続されたモニタ２１で緊急スイッチ３０ｍがオン操作されたことを確認でき、さらには、緊急スイッチ３０ｍを撮影している監視カメラ２の画像で監視場所Ｐでの異変を確認することができ、また、緊急スイッチ３０ｍがオン操作されるに至った一部始終をモニタ２１で監視することができるとともに、画像データとして記憶装置２２内に記憶させておくことが可能となる。
【００４２】
したがって、この監視装置にあっては、駐車場のように、昼間夜間を問わず自動車や人間の出入りが激しい監視場所Ｐの監視する場合に、緊急スイッチ３０ｍのオン操作が無い場合には、犯罪目的を持たない人間や自動車を侵入者として検知しても、照明を点灯させるだけであるので、監視場所Ｐを使用する者に不快感を与えることが無く、犯罪や事故の緊急事態の発生や緊急事態が予測される事態が発生した場合には、それを目撃した人の緊急スイッチ３０ｍのオン操作によって、緊急事態を監視員に通報することが可能となる。
【００４３】
また、犯罪を行おうとする侵入者をセンサ手段３で検知できない場合にあっても、自発的に緊急スイッチ３０ｍのオン操作によって、緊急事態を監視員に通報することが可能となる。
【００４４】
したがって、犯罪に巻き込まれるような事態に遭遇した人は、センサ手段３で移動体検知が不能なときにも、自発的に監視員に緊急事態を通報して救済を受けられる可能性が大きくなる。
【００４５】
さらに、緊急スイッチ３０ｍがオン操作されない限り、警報音が発生されないので、夜間に監視場所Ｐに出入りする移動体によって、無用な警報音が発生されることがなく、センサ手段３で移動体を検知しても監視場所Ｐおよびその周辺の人には照明４の点灯のみが知覚されるのみであるから、住宅街やその至近にある駐車場に本監視装置を設置しても、周辺住民に迷惑となることがない。
【００４６】
すなわち、この監視装置は、監視場所Ｐを使用する者に不快感を与えることが無く、自発的に緊急事態の発生を監視員に知らせることができ、さらには、無用な警報音が発生されることがないので、駐車場等の不特定多数の人間が利用する監視場所の監視に最適となるのである。
【００４７】
また、センサ手段３で移動体を検知した状態では移動体を検知した監視ユニット１ｎのみの照明４のみが点灯するが、緊急スイッチ３０ｍのオン操作では、すべての監視ユニット１ｎの照明４が点灯するので、監視場所Ｐにおいて罪を犯そうとする者に対する威嚇効果が高いので犯罪抑止効果も向上し、夜間における犯罪者の追跡の容易となる。
【００４８】
さらに、緊急スイッチ３０ｍに対応する音源３１のみが警報音を発生するので、監視員は、監視場所Ｐの面積が広大であっても、音源３１の警報音を頼りに緊急事態が発生した場所へ急行することが可能であるので、緊急事態に早急に対処することが可能となる。
【００４９】
そして、緊急スイッチ３０ｍがオン操作されない場合にあっても、センサ手段３が移動体を検知して、移動体検知時には、監視員はモニタ２１で移動体を検知したことを察知することができるとともに、端末２０の記憶装置２２に移動体検知時前後に渡って移動体を検知した監視ユニット１ｎの監視カメラ２で撮影した画像データが記憶されることになるから、犯罪が行われたとしてもその現場を撮影した画像にいち早くアクセスすることが可能であり、照明４の点灯で犯罪を未然に防ぐことができるので、セキュリティは万全である。
【００５０】
なお、上記したところでは、緊急スイッチ３０ｍが制御部３３と通信装置３４を備える構成となっているが、緊急スイッチ３０ｍと音源３１とを監視ユニット１ｎにケーブル等で接続しておき、緊急スイッチ３０ｍのオン操作がされたことを監視ユニット１ｎの制御部５で検知して通信手段１０を介して緊急信号と緊急データを送信するとともに音源３１に電力供給するようにしてもよく、この場合には、制御部３３と通信装置３４を省略することができ監視装置が安価となる。また、緊急スイッチ３０ｍと監視ユニット１ｎのケーブル等での接続に関しては、複数の緊急スイッチ３０ｍに対して一つの監視ユニット１ｎを割り当てるようにしてもよい。
【００５１】
さらに、上記した実施の形態においては、緊急スイッチ３０ｍが監視ユニット１ｎの監視カメラ２で撮影可能な範囲内に設置されるようにしているので、緊急スイッチ３０ｍがオン操作されるに至った一部始終をモニタ２１で確認できるという利点があるが、監視カメラ２の撮影可能範囲以外に緊急スイッチ３０ｍを設置するようにしても、監視場所Ｐを使用する者に不快感を与えることが無く、自発的に緊急事態の発生を監視員に知らせることができ、さらには、無用な警報音が発生されることがないので、駐車場等の不特定多数の人間が利用する監視場所の監視に最適となることは勿論である。
【００５２】
以上で、本発明の実施の形態についての説明を終えるが、本発明の範囲は図示されまたは説明された詳細そのものには限定されないことは勿論である。
【図面の簡単な説明】
【００５３】
【図１】一実施の形態における監視装置のシステム構成を示す図である。
【図２】監視ユニット、緊急スイッチおよび音源の監視場所への設置状況を示す図である。
【図３】各監視ユニットから送信される画像をモニタで表示した状態におけるモニタの表示画面を示す図である。
【図４】緊急スイッチおよび音源のシステム構成を示す図である。
【図５】緊急スイッチのオン操作時の警告表示をモニタで表示した状態におけるモニタの表示画面を示す図である。
【符号の説明】
【００５４】
１ｎ  監視ユニット
２  監視カメラ
３  センサ手段
４  照明
５  制御部
６  記憶装置
１０  通信手段
２０  端末
２１  モニタ
２２  記憶手段
２５  通信インターフェース
２６  ＣＰＵ
２７  主記憶装置
２８  グラフィックコントローラ
３０ｍ  緊急スイッチ
３１  音源
３２  スイッチ部
３３  制御部
３４  通信装置
５１，５２  Ａ／Ｄ変換器
５３  画像処理部
５４  演算処理部
５５  主記憶装置
Ａ  表示領域
Ｐ  監視場所
Ｓ  監視カメラの撮影可能範囲
【図１】
2007213313.tif 000003
【図２】
2007213313.tif 000004
【図３】
2007213313.tif 000005
【図４】
2007213313.tif 000006
【図５】
2007213313.tif 000007